(57)【特許請求の範囲】
【請求項１】
外枠と、前記外枠の前面に開閉可能に設けた前面枠と、
前記前面枠に固定された固定基部に、係止部を、施錠位置と解錠位置とに移動可能に設けると共に、常には、前記係止部を前記施錠位置に保持してなる施錠機構と、
前記施錠機構に設けられ、解錠手段を用いて操作されて、前記係止部を前記施錠位置から前記解錠位置に移動する解錠機構と、
前記外枠に固定され、前記前面枠を閉じたときに、前記施錠位置の前記係止部と係合する被係止部とを備え、それら係止部及び被係止部の係合により、前記前面枠を閉止状態に施錠するように構成され、
前記外枠と前記前面枠との隙間に対向配置されて、前記施錠機構のうち前記係止部及び／又はその係止部に連動する部分の少なくとも一部を覆う保護壁を、前記施錠機構に設けた遊技機において、
前記固定基部は、前記前面枠の内面に重ねて固定された固定壁と、その固定壁から略垂直に起立した直立壁とを備えると共に、前記直立壁に重ねて、前記係止部及びその係止部に連動するリンク部材とが設けられ、
前記保護壁は、前記固定基部の端部に一体的に形成され、前記係止部及び／又は前記リンク部材の少なくとも一部を、上方から覆う上部保護壁と、前記固定壁の側縁部に設けられて、前記係止部及び／又は前記リンク部材を、側方から覆う側部保護壁とを備えてなり、
前記側部保護壁は、前記固定基部の前記固定壁のうち前記直立壁と反対側の縁部から起立して前記直立壁に対向する一方、前記上部保護壁は、前記直立壁の上端縁から前記側部保護壁に向かって直角に立ち上がると共に平面形状がＬ字形をなしており、
前記上部保護壁のうちＬ字の内側部分の切り欠き部を、前記外枠の角部に対応した形状にすることで、前記前面枠を前記外枠に対して閉止した状態において前記切り欠き部が前記外枠の凹凸に整合するように構成されたことを特徴とする遊技機。
【請求項２】
前記上部保護壁と前記固定壁との間には隙間が設けられ、この隙間に前記固定壁にねじ止めされたアース線が通されたことを特徴とする請求項１に記載の遊技機。
【発明の詳細な説明】
【０００１】
【発明の属する技術分野】
本発明は、外枠に開閉可能に設けた前面枠を、施錠機構にて施錠可能とした遊技機に関する。
【０００２】
【従来の技術】
パチンコ遊技機に代表される遊技機の外枠には、一般に、前面枠が開閉可能に取り付けられ、この前面枠が、施錠機構にて閉止状態に施錠される。その一例として、特開平１０−１２７９０１号公報に掲載された遊技機の前面枠１は、図１６に示すように、一方の側縁部（同図における右側縁部）が外枠２（図１７参照）にヒンジ連結されると共に、他方の側縁部に施錠機構３を備える。施錠機構３は、前面枠１に取り付けられた断面Ｌ字形の固定基部４のうち、前面枠１から起立した直立壁４Ａの両端部に、フック５，５を回動可能に取り付け、これら両フック５，５をリンク部材６（図１８参照）で連結してなる。また、フック５は、図示しないコイルスプリングにて、一定姿勢に保持されている。一方、外枠２には、図１７に示すように、フック５と対応した位置に、被係止部７が設けられている。そして、前面枠１を外枠２に押し付けると、フック５が、被係止部７を乗り越えるように回動してから、コイルスプリングの弾発力にて元の姿勢に戻り、被係止部７に係合する。さらに、固定基部４の長手方向の中間部分には、前記リンク部材６に連結された解錠機構８が備えられており、この解錠機構８を鍵（本発明の「解錠手段」に相当する）を用いて操作することで、リンク部材６を介してフック５，５が回動されて、被係止部７との係合が解除される。
【０００３】
【発明が解決しようとする課題】
ところで、流通している遊技機の枠体では、前面枠１と外枠２との間に、隙間（図１７のＳ参照）が空いており、その隙間と、フック５及びリンク部材６との間に、障害物が設けられていない。このため、前面枠１と外枠２との隙間から、突片状の部材を挿入して、不正に施錠機構３が解錠される虞があった。
【０００４】
また、遊技機の裏面に、施錠機構３を覆うカバーを備えたものが知られているが、これは、遊技場の島において互いに隣接した遊技機の何れかを、島から離脱するように開放したときに、その開放口から隣の遊技機の施錠機構３を不正操作することを防ぐためのものであって、前面枠１と外枠２との隙間からの施錠機構３の不正解除操作を防ぐことができなかった。
【０００５】
本発明は、上記事情に鑑みてなされたもので、前面枠と外枠との隙間からの、施錠機構の不正解除操作を防止可能な遊技機の提供を目的とする。
【０００６】
【課題を解決するための手段】
上記目的を達成するためになされた請求項１の発明に係る遊技機は、外枠と、外枠の前面に開閉可能に設けた前面枠と、前面枠に固定された固定基部に、係止部を、施錠位置と解錠位置とに移動可能に設けると共に、常には、係止部を施錠位置に保持してなる施錠機構と、施錠機構に設けられ、解錠手段を用いて操作されて、係止部を施錠位置から解錠位置に移動する解錠機構と、外枠に固定され、前面枠を閉じたときに、施錠位置の係止部と係合する被係止部とを備え、それら係止部及び被係止部の係合により、前面枠を閉止状態に施錠するように構成され、外枠と前面枠との隙間に対向配置されて、施錠機構のうち係止部及び／又はその係止部に連動する部分の少なくとも一部を覆う保護壁を、施錠機構に設けた遊技機において、固定基部は、前面枠の内面に重ねて固定された固定壁と、その固定壁から略垂直に起立した直立壁とを備えると共に、直立壁に重ねて、係止部及びその係止部に連動するリンク部材とが設けられ、保護壁は、固定基部の端部に一体的に形成され、係止部及び／又はリンク部材の少なくとも一部を、上方から覆う上部保護壁と、固定壁の側縁部に設けられて、係止部及び／又はリンク部材を、側方から覆う側部保護壁とを備えてなり、側部保護壁は、固定基部の固定壁のうち直立壁と反対側の縁部から起立して直立壁に対向する一方、上部保護壁は、直立壁の上端縁から側部保護壁に向かって直角に立ち上がると共に平面形状がＬ字形をなしており、上部保護壁のうちＬ字の内側部分の切り欠き部を、外枠の角部に対応した形状にすることで、前面枠を外枠に対して閉止した状態において切り欠き部が外枠の凹凸に整合するように構成されたことを特徴とする遊技機。
【０００７】
請求項２の発明は、請求項１に記載の遊技機において、上部保護壁と固定壁との間には隙間が設けられ、この隙間に固定壁にねじ止めされたアース線が通されたところに特徴を有する。
【００１４】
【発明の作用及び効果】
＜請求項１の発明＞
請求項１の遊技機によれば、不正解錠用の部材を、外枠と前面枠との隙間から挿入しても、その隙間に対向配置された保護壁に干渉して、係止部を不正操作することができない。これにより、前面枠と外枠との隙間からの、施錠機構の不正解除操作を防止することができる。具体的には、遊技機の上方側から、前面枠と外枠との隙間に、不正解錠用の部材を挿入しても、保護壁に備えた上部保護壁が干渉して、係止部又はリンク部材の不正操作が防がれる。また、遊技機の側方から、前面枠と外枠との隙間に、不正解錠用の部材を挿入しても、保護壁に備えた側部保護壁が干渉して、係止部又はリンク部材の不正操作が防がれる。
また、保護壁を、施錠機構の固定基部に一体的に形成したので、新たに部品点数を増やすことなく、本発明の課題を解決することができる。
更に、前面枠を外枠に閉じたときに、保護壁に設けた切り欠き部が、外枠の凹凸に整合して、外枠との間の隙間が効果的に塞がれ、施錠機構の不正解除操作をより確実に防止することができる。
【００１９】
【発明の実施の形態】
＜第１実施形態＞
以下、本発明を適用したパチンコ遊技機に係る第１実施形態を、図１〜図１４に基づいて説明する。本実施形態のパチンコ遊技機は、図１に示した枠体８０に、遊技機本体８１（図６参照）を組み付けてなる。
【００２０】
遊技機本体８１には、図５に示した概矩形板状の遊技盤１１が備えられ、その遊技盤１１の前面を、枠体８０に備えたガラス枠９５越しに見ることができる。遊技盤１１の前面には、図４に示すように、ガイドレール１２に囲まれたほぼ円形の遊技領域が備えられ、その遊技領域のほぼ中央部には、液晶表示装置１３が設けられている。遊技領域のうち液晶表示装置１３の下方には、始動入賞口１４、大入賞口１５及び外れ球受け入れ口１６が、上から順に間隔を開けて並べて設けられている。また、遊技領域のうち液晶表示装置１３、及び始動入賞口１４等を挟んだ左右の両側には、上から順に、ランプ風車１７、始動ゲート１８及び風車１９、一般入賞口２０，２１が設けられ、ガイドレール１２に沿った両側部には、円弧状のサイドランプ２２，２２が設けられている。さらに、これら入賞口等以外に、遊技領域には、図示しない複数の釘が起立している。
【００２１】
図５に示すように、遊技盤１１の裏面には、ダクト４０が取り付けられており、各入賞口１４，１５，２０，２１及び外れ球受け入れ口１６に入った遊技球が、このダクト４０を通って遊技球回収部４１に集められる。また、同図に示すように、遊技盤１１の裏面には、各入賞口１４，１５，２０，２１及び始動ゲート１８に入った遊技球を検出するための各種スイッチＳＷ１〜ＳＷ５が設けられ、これらスイッチＳＷ１〜ＳＷ５の検出信号に基づいてパチンコ遊技機の遊技が制御される。
【００２２】
遊技盤１１の前面に備えた個々の部位を詳説すると、以下のようである。
前記始動入賞口１４は、図４に示すように、上下に並んだ第１及び第２の始動入賞口１４Ａ，１４Ｂからなる。上側の第１始動入賞口１４Ａは、常に遊技球が入賞可能となっているが、下側の第２始動入賞口１４Ｂは、その両側に設けた可動翼片１４Ｃ，１４Ｃにて、通常は、遊技球の入賞が規制されている。そして、後述する７セグメントＬＥＤ２４の停止表示が奇数になると、遊技盤１１の裏に設けたソレノイド１４Ｓ（図５参照）が駆動されて、可動翼片１４Ｃ，１４Ｃが所定期間に亘って横に倒され、第２始動入賞口１４Ｂへの入賞を許容した状態になる。また、これら始動入賞口１４Ａ，１４Ｂに遊技球が入賞すると、特別図柄始動スイッチＳＷ２（図５参照）がこれを検出して、液晶表示装置１３が複数の図柄を変動表示した後、停止表示する。
【００２３】
大入賞口１５は、図４に示すように、横長に形成されて、常には、可動扉１５Ｔにて閉塞されている。そして、後述する所定条件の成立によって、パチンコ遊技機が「大当たり状態」になると、遊技盤１１の裏に設けたソレノイド１５Ｓ（図５参照）が駆動され、可動扉１５Ｔが所定期間に亘って前側に倒れる。これにより、大入賞口１５が開放され、可動扉１５Ｔを案内にして、大入賞口１５に多くの遊技球が入賞可能になる。ここで、可動扉１５Ｔが、開放してから閉じるまでの間を「ラウンド」と称すると、１つのラウンドは、可動扉１５Ｔの開放時間が２９秒に達したか、又は、大入賞口１５に遊技球が１０個入賞したか、の何れかの条件が先に満たされた場合に終了する。
【００２４】
大入賞口１５の内部には、継続入賞口３０と計数入賞口３１（図５参照）とが設けられており、これら継続入賞口３０及び計数入賞口３１は、選択的に何れか一方が開放される。より詳細には、可動扉１５Ｔが開いたときには、最初は、継続入賞口３０が開放しており、継続入賞口３０に入賞後、ソレノイド３２Ｓ（図５参照）が駆動されて、継続入賞口３０が閉鎖される一方、計数入賞口３１が開放される。そして、継続入賞口３０内に設けた入賞球検出スイッチＳＷ３（図５参照）が遊技球の入賞を検出すると、前述した終了条件を満たしてラウンドが終了した後で、連続して次のラウンドが実行される。また、計数入賞口３１内に設けた入賞球検出スイッチＳＷ４（図５参照）が遊技球の入賞を検出すると、前記継続入賞口３０への入賞球と合わせて、大入賞口１５への入賞球がカウントされ、これらが前記したように計１０個に達したか否かがチェックされる。
【００２５】
液晶表示装置１３は、装飾枠２３の内側部分を遊技盤１１より陥没させて、その奥部にＴＦＴ−ＬＣＤモジュールを備えてなる。装飾枠２３の上辺中央には、７セグメントＬＥＤ２４が備えられ、この７セグメントＬＥＤ２４は、前記始動ゲート１８内に設けた普通図柄始動スイッチＳＷ１（図５参照）が、遊技球の通過を検出したときに、「０」〜「９」までの数字を所定期間に亘って変動表示する。そして、所定期間経過後に、７セグメントＬＥＤ２４に停止表示された数字が、例えば奇数の場合に、前述のごとく、始動入賞口１４に設けた可動翼片１４Ｃ，１４Ｃが作動する。
【００２６】
液晶表示装置１３には、特別図柄１３Ａ，１３Ｂ，１３Ｃが、横並びに表示されている。各特別図柄１３Ａ，１３Ｂ，１３Ｃは、それぞれ例えば「０」〜「１１」の１２種類の数字体で構成されており、遊技の当たり外れを示すために用いられる。即ち、各特別図柄１３Ａ，１３Ｂ，１３Ｃは、通常は、各特別図柄１３Ａ，１３Ｂ，１３Ｃごとに、所定の種類のものが停止表示されている。そして、前記始動入賞口１４に遊技球が入賞したときには、各特別図柄１３Ａ，１３Ｂ，１３Ｃが、上下方向にスクロールして変動表示され、所定時間後に、例えば、左、右、中の順に、各特別図柄１３Ａ，１３Ｂ，１３Ｃが停止表示される。このとき、これら特別図柄１３Ａ，１３Ｂ，１３Ｃが、例えば、ぞろ目になったか否かにより、遊技の当たり外れが判定される。
【００２７】
図６に示すように、遊技盤１１の裏面には、前記ダクト４０（図５参照）に重ねて複数の部品が組み付けられ、これら遊技盤１１を含む複数の部品により遊技機本体８１が構成されている。具体的には、透明な樹脂ハウジング７５が、遊技盤１１の裏面全体を覆って固定されると共に、その樹脂ハウジング７５の下部が、遊技盤１１より下方に延びている。樹脂ハウジング７５のうち上下方向のほぼ中央には、透明な筐体状の樹脂カバー７６が、着脱可能に取り付けられている。この樹脂カバー７６の内部には、図７に示すように、遊技の制御に係る主制御装置５０、ランプ制御装置５５、音声制御装置５６及び図柄制御装置５７が収容されている。また、樹脂ハウジング７５のうち樹脂カバー７６より下方には、払出制御装置５８と電源装置７０とが横並びにして取り付けられている。なお、これら各装置５０，５５〜５８，７０は、さらに個々に透明な樹脂ケースに収容されている。
【００２８】
前記主制御装置５０は、ＣＰＵとＲＯＭ及びＲＡＭを合わせてパッケージしてなるワンチップマイコンを主要部として備え、定期リセット回路にて生成した割り込みパルスに基づき、ＲＯＭに記憶した種々のプログラムをランすることで、遊技機を統括制御する。
【００２９】
前記ランプ制御装置５５は、後述する枠体８０に備えた装飾ランプ９６、左右のサイドランプ２２，２２、及び、液晶表示装置１３の装飾枠２３等への電力供給をオンオフする駆動回路を内蔵して備え、主制御装置５０から受けた信号に基づき、前記駆動回路を作動させて、各ランプ、ＬＥＤを駆動制御する。
【００３０】
前記音声制御装置５６は、主制御装置５０から受けた信号に基づいて、所定の音声信号を図示しないＲＯＭから取り出し、これをアナログ信号に変換及び増幅して後述するスピーカ５９Ｓから音を出力させる。
【００３１】
前記図柄制御装置５７は、主制御装置５０から受けた信号を表示用ＣＰＵで処理すると共に、表示用ＣＰＵの処理結果に基づき、ＶＤＰ（図示せず）にて画像データを生成して、これを液晶表示装置１３へと出力する。
【００３２】
前記払出制御装置５８は、主制御装置５０から受けた信号に基づき、所定数の遊技球を賞球として、後述の上皿２７Ａに払い出す。
【００３３】
前記電源装置７０は、パチンコホールに備えたＡＣ２４Ｖ設備電源から電力を受け、これを所定の電圧に変圧して各部位に配電する。
【００３４】
遊技機本体８１の構成は、以上のようであり、遊技機本体８１は、以下に説明する枠体８０に着脱可能に取り付けられている。
【００３５】
枠体８０は、図９に示した外枠８２に前面枠９０を回動可能に備えてなる。外枠８２は、４つの木製の長板８３を縦長矩形状に接合してなる。また、外枠８２の両側辺を構成する長板８３の下端部の間には、前面板８４が差し渡され、その前面板８４の下縁部が、下辺を構成する長板８３に接合されている。
【００３６】
外枠８２のうち一方の側辺には、その上下の２箇所に、金属製のヒンジ片８５，８５が取り付けられている。これらヒンジ片８５，８５は、外枠８２の前方に向けて張り出しており、その先端部には、ピン孔が形成されている。
【００３７】
外枠８２のうちヒンジ片８５と反対側の側辺を構成する長板８３には、その上端寄りと下端寄りの内面の２箇所に、１対の被係止部８６，８６が取り付けられている。被係止部８６は、例えば、金属板を概Ｌ字状に折り曲げてなり、そのＬ字の一辺が、長板８３に敷設してねじ止めされ、長板８３から起立した他辺に、後述する施錠機構１００に備えた係止部１０３が係合する（図８参照）。なお、外枠８２のうちヒンジ片８５を備えた側の外側面には、図１に示すように、プリペードカードユニット１５０が取り付けられる。
【００３８】
前面枠９０は、例えば、合成樹脂で構成され、図９に示すように、外枠８２の前面のうち前面板８４より上方部分に対応した矩形構造をなす。前面枠９０の一方の側辺には、その上下の２箇所に、金属製のヒンジ片９１，９１が備えられ、これら各ヒンジ片９１と前記外枠８２に設けた各ヒンジ片８５とを重ねて、ヒンジピン９２を貫通させてある。これにより、前面枠９０が、外枠８２に対して開閉する。
【００３９】
前面枠９０には、遊技窓９０Ｗが形成されており、前面枠９０の裏面には、遊技窓９０Ｗを囲むように囲壁９３が起立している。そして、この囲壁９３の内部に、前記遊技盤１１が嵌合され、囲壁９３に備えた複数の係止爪９４にて、遊技機本体８１が前面枠９０に着脱可能に固定される。
【００４０】
また、前面枠９０の表面には、図３に示すように、ガラス枠９５が、遊技窓９０Ｗに重ねて設けられている。ガラス枠９５は、前面枠９０のうちヒンジ片９１側の側縁部に回動可能に取り付けられており、遊技窓９０Ｗより一回り小さな窓９５Ｗを備えて、そこにガラス板が張られている。また、図１に示すように、ガラス枠９５の前面うち窓９５Ｗの縁部には、装飾ランプ９６が配されている。
【００４１】
前面枠９０のうちガラス枠９５の下方には、横長の回動板９７が、ガラス枠９５と同様に、前面枠９０に対して回動可能に取り付けられている。また、この回動板９７には、上皿２７Ａが取り付けられ、前面枠９０のうち回動板９７の下方に、下皿２７Ｂが取り付けられている。そして、遊技を行った場合の賞球としての遊技球が、上皿２７Ａに払い出され、上皿２７Ａに設けたボタン２９を押すと、上皿２７Ａから下皿２７Ｂに遊技球が移動する。
【００４２】
上皿２７Ａの左右の両端部寄り位置には、１対のスピーカ５９Ｓ，５９Ｓが設けられると共に、下皿２７Ｂの右端部には、操作ノブ２８が設けられている。これらスピーカ５９Ｓ、操作ノブ２８及び前記装飾ランプ９６等は、遊技機本体８１の所定の電気回路にコネクタ接続されている。そして、操作ノブ２８を操作することで、上皿２７Ａに収容された遊技球が遊技盤１１上に向けて弾き出され、遊技の進行状況に応じて、装飾ランプ９６及びスピーカ５９Ｓが駆動される。
【００４３】
上述した前面枠９０及びガラス枠９５は、以下に説明する施錠機構１００により、閉止状態に施錠される。施錠機構１００は、図１０に示されており、前面枠９０の裏面のうちヒンジ片９１と反対側の側縁部に、取り付けられている。施錠機構１００には、上下方向に延びた固定基部１０１と、その固定基部１０１の両端部に配された１対の係止部材１０２，１０２とが備えられている。
【００４４】
係止部材１０２は、図１１に示すように、水平方向に延びた金属板の途中部分に、上方に開放した切り欠きを備え、その切り欠きより先端側が矢尻状の係止部１０３になっている。
【００４５】
固定基部１０１は、金属板を打ち抜きかつ折り曲げ加工して形成され、前面枠９０の裏面に重ねてねじ止めされる固定壁１０４の一側縁部から、直立壁１０５が略垂直に起立している。
直立壁１０５の上下の両端部には、前記各係止部材１０２のうち係止部１０３と反対側の後端部が重ねられて、ピン１０２Ｐ（図１２参照）にて回動可能に取り付けられている。これにより、係止部材１０２の先端側の係止部１０３が上下移動する。ここで、係止部材１０２が略水平方向を向いた場合における係止部１０３の位置が、本発明に係る「施錠位置」に相当し、係止部材１０２の先端が斜め下方を向いた場合における係止部１０３の位置が、本発明に係る「解錠位置」に相当する。
【００４６】
直立壁１０５の長手方向の中間部分には、図１１に示すように、ガラス枠施錠部材１０７が組み付けられている。ガラス枠施錠部材１０７は、直立壁１０５に重ねられた本体部から押圧片１０７Ａを起立して備え、その押圧片１０７Ａが、直立壁１０５に形成した長孔１０５Ａに挿通されている。そして、ガラス枠施錠部材１０７は、固定壁１０４との間に取り付けたコイルスプリング１０８にて上方に付勢されており、常には、押圧片１０７Ａが、長孔１０５Ａの上端部に位置している。また、前面枠９０には、前記押圧片１０７Ａに連動する図示しない長板係合部材が設けられており、押圧片１０７Ａが、長孔１０５Ａの上端部に位置した状態で、この長板係合部材が、ガラス枠９５に設けた図示しない係合突部に係合し、これにより、ガラス枠９５が閉止状態に施錠されている。一方、押圧片１０７Ａが、長孔１０５Ａの下端部に位置した状態では、前記した長板係合部材とガラス枠９５の係合突部との係合が解除される。これにより、ガラス枠９５が解錠されて、開放可能となる。
【００４７】
直立壁１０５には、図１１に示すように、ガラス枠施錠部材１０７に重ねて、リンク部材１０９が敷設され、そのリンク部材１０９の両端部が、前記両係止部材１０２の後端部に、ピンにて連結されている（図１２参照）。これにより、両係止部材１０２，１０２とリンク部材１０９とでリンク機構が構成され、係止部材１０２，１０２が連動して傾動する。
【００４８】
図１１に示すように、リンク部材１０９の長手方向の中間部分には、位置決め突部１１２が突出しており、この位置決め突部１１２が、直立壁１０５の上縁部に形成した規制壁１１１，１１１の間に配置され、リンク部材１０９の上下移動が所定のストロークの範囲に規制されている。そして、リンク部材１０９を、前記ストロークの下端に移動すると、各係止部材１０２が水平姿勢になって各係止部１０３が、施錠位置に位置する。一方、リンク部材１０９をストロークの上端に移動すると、各係止部材１０２が斜め下方を向いた姿勢になって、各係止部１０３が、解錠位置に位置する。
【００４９】
また、リンク部材１０９は、固定壁１０４との間に取り付けたコイルスプリング１１０により、下方に付勢されており、これにより、両係止部材１０２の各係止部１０３が、常には、施錠位置に保持されている。
【００５０】
固定基部１０１のうち固定壁１０４の長手方向の中間部分には、解錠機構１２０が設けられている。解錠機構１２０は、金属ブロックの後端にフランジを備えた構造をなし、固定壁１０４に貫通形成した取付孔に、直立壁１０５が起立した側から挿入され、フランジが固定壁１０４にねじ止めされている。また、解錠機構１２０は、金属ブロックの先端側に開放した鍵穴（図示せず）を備え、その鍵穴に挿入した鍵と共に回動する軸体１２１が、金属ブロックの後端部から突出している。そして、その軸体１２１の突出部分に解錠爪１２２が固定され、この解錠爪１２２が時計回り方向と反時計回り方向とに回動されて、前面枠９０又はガラス枠９５が解錠される。即ち、図示しない鍵を解錠機構１２０に挿入して、時計回り方向に回すことで、解錠爪１２２によりリンク部材１０９が上方に押され、各係止部１０３と被係止部８６との係合が解除され、前面枠９０を開くことが可能になる。また、鍵を反時計回り方向に回すことで、ガラス枠施錠部材１０７が下方に移動され、これに連動した図示しない長板係合部材とガラス枠施錠部材１０７に備えた図示しない係合突部との係合が解除され、ガラス枠９５を開くことが可能になる。
【００５１】
さて、図１０に示すように、固定基部１０１には、本発明に係る保護壁１３０が一体形成されている。保護壁１３０は、側部保護壁１３１と上部保護壁１３２とからなる。側部保護壁１３１は、固定基部１０１の固定壁１０４のうち直立壁１０５と反対側の縁部から起立して、直立壁１０５に対向している。側部保護壁１３１は、図１４（Ａ）及び図１４（Ｂ）に示すように、固定壁１０４からの高さが直立壁１０５より低いが、外枠８２と前面枠９０との側方の隙間を枠体８０の内側から覆うには、十分な高さをなしている。また、図１３に示すように、側部保護壁１３１は、固定基部１０１の長手方向の全体に亘って形成されている。
【００５２】
一方、上部保護壁１３２は、図１２に示すように、直立壁１０５の上端縁から側部保護壁１３１に向かって直角に立ち上がり、係止部材１０２の上方を覆っている。より詳細には、上部保護壁１３２は、平面形状がＬ字形をなし、そのＬ字のうち直立壁１０５の上縁部に沿った一辺１３２Ａが、係止部材１０２及びリンク部材１０９の一部を上方から覆い、他の一辺１３２Ｂが直立壁１０５と側部保護壁１３１との間に差し渡されている。また、上部保護壁１３２のうちＬ字の内側部分の切り欠き部１３３は、外枠８２の角部８２Ｋ（図９参照）に対応した形状をなしている。これにより、前面枠９０を外枠８２に対して閉止したときに、図１４（Ａ）に示すように、外枠８２と上部保護壁１３２との干渉が避けられると共に、切り欠き部１３３が、外枠８２の凹凸に整合して、外枠８２との間の隙間が効果的に塞がれる。さらに、図１２に示すように、上部保護壁１３２と、固定壁１０４との間には隙間１３４が設けられ、そこにアース線１３５が通されている。なお、アース線１３５の端末は、固定壁１０４にねじ止めされている。
【００５３】
次に、上記構成からなる本実施形態の作用・効果を説明する。
遊技場に設置したパチンコ遊技機に、例えばトラブルが生じた場合に、前面枠９０が開かれる。そのためには、遊技場の管理者が、鍵をパチンコ遊技機の解錠機構１２０に挿入して、時計回り方向に回せばよい。すると、解錠機構１２０に備えた解錠爪１２２により、施錠機構１００のリンク部材１０９が上方に引き上げられ、係止部１０３が施錠位置から解錠位置に移動し、係止部１０３と被係止部８６との係合が解除される。これにより、図２に示すように、前面枠９０を開くことができる。
【００５４】
なお、例えば、遊技盤１１に遊技球が詰まった時には、ガラス枠９５が開かれる。この場合は、鍵を解錠機構１２０に挿入して反時計回り方向に回せばよい。すると、解錠爪１２２により、施錠機構１００のガラス枠施錠部材１０７が下方に引き下げられ、これに連動した図示しない長板係合部材とガラス枠施錠部材１０７に備えた図示しない係合突部との係合が解除されて、図３に示すように、ガラス枠９５を開くことができる。
【００５５】
開いた前面枠９０を閉じて施錠するには、前面枠９０を外枠８２に押し付ければよい。すると、係止部１０３の先端に備えた傾斜部分が、被係止部８６に摺接して、係止部１０３が施錠位置から解錠位置に押し下げられ、係止部材１０２が回動する。そして、係止部１０３が、被係止部８６を乗り越えたところで、コイルスプリング１１０の弾発力にて、係止部材１０２が元の姿勢に戻され、係止部１０３の後端の垂直面が、被係止部７に係合する。これにより、前面枠９０を外枠８２から離す方向に引っ張っても、係止部１０３と被係止部８６との係合は解除されず、前面枠９０が閉止状態に施錠される。また、開いたガラス枠９５を閉じて施錠するには、前面枠９０を閉止する場合と同様に、ガラス枠９５を前面枠９０に押し付ければよい。
【００５６】
さて、遊技場の管理者以外の者が、不正に前面枠９０を開けようとした場合には、以下のようである。即ち、パチンコ遊技機の上方側から、前面枠９０と外枠８２との隙間に、不正解錠用の部材を挿入したときには、その不正解錠用の部材が、上部保護壁１３２に干渉して、係止部１０３及びその係止部１０３に連動するリンク部材１０９の不正操作が防がれる。
【００５７】
また、パチンコ遊技機の側方から、前面枠９０と外枠８２との隙間に、不正解錠用の部材を挿入したときには、不正解錠用の部材が、側部保護壁１３１に干渉して、係止部１０３及びその係止部１０３に連動するリンク部材１０９の不正操作が防がれる。
【００５８】
このように、本実施形態のパチンコ遊技機によれば、外枠８２と前面枠９０との隙間から、不正解錠用の部材を挿入しても、保護壁１３０と干渉して、係止部１０３を操作することができない。これにより、前面枠９０と外枠８２との隙間からの、施錠機構１００の不正解除操作を防止することができる。しかも、保護壁１３０は、施錠機構１００に一体形成されているから、新たに部品点数を増やす必要もない。また、固定基部１０１は、固定壁１０４、直立壁１０５及び側部保護壁１３１により断面が溝形構造をなしているから、従来の断面Ｌ字構造のものより、前面枠９０に対する補強効果が高い。
【００５９】
＜第２実施形態＞
本実施形態のパチンコ遊技機における施錠機構２００は、図１５（Ａ）及び図１５（Ｂ）に示されており、図１５（Ｃ）及び図１５（Ｄ）に比較して示した前記第１実施形態の施錠機構２００に、補強部１４０を延長した構成になっている。以下、第１実施形態と同じ構成については、同一符号を付して重複説明は省略し、異なる構成に関してのみ説明する。
【００６０】
即ち、補強部１４０は、施錠機構２００のうち固定基部１０１を構成する固定壁１０４、直立壁１０５及び側部保護壁１３１を、下端側の係止部材１０２より下方に延ばしてなる。そして、補強部１４０は、その下端が前面枠９０の端部寄り位置に配置され、補強部１４０を構成する固定壁１０４の長手方向の複数箇所に貫通させたねじにて、前面枠９０に固定されている。
【００６１】
本実施形態によれば、施錠機構２００に備えた補強部１４０により、前面枠９０の下端部が補強され、前面枠９０の下端部が強く引っ張られることによる反りが防がれ、外枠８２との隙間が拡がり難くなる。しかも、本実施形態の補強部１４０は、固定壁１０４、直立壁１０５及び側部保護壁１３１により断面が溝形構造をなしているから、側部保護壁１３１がない断面Ｌ字構造の補強部より、補強効果を上げることができる。
【００６２】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記第１及び第２の実施形態においては、遊技機の一例としてパチンコ遊技機を例示したが、本発明はこれに限られず、前面枠を施錠機構にて施錠可能とした遊技機であれば、全てに適用することができる。即ち、例えば、コイン遊技機やスロットマシン等に本発明を適用してもよい。
【００６３】
（２）前記第１及び第２の実施形態では、保護壁１３０は、上部保護壁１３２と側部保護壁１３１とを備えてなるが、下端側の係止部材１０２を下方から覆う下部保護壁を備えた構成にしてもよい。
【００６４】
（３）前記第１及び第２の実施形態の側部保護壁１３１は、固定基部１０１の長手方向の全体に亘って形成されていたが、側部保護壁を固定基部の長手方向の一部に形成してもよい。但し、側部保護壁を、固定基部の長手方向の全体に亘って形成すれば、枠体に対する補強効果を高くすることができる。
【００６６】
（５）前記第１及び第２の実施形態では、保護壁１３０は、施錠機構１００に一体形成されていたが、施錠機構と別体に形成した部材を、例えば、施錠機構に、ねじ止めにて一体的に固定して、保護壁とした構成であってもよい。
【図面の簡単な説明】
【図１】本発明の第１実施形態のパチンコ遊技機に備えた枠体の斜視図
【図２】その枠体の前面枠を開いた状態の斜視図
【図３】その枠体のガラス枠を開いた状態の斜視図
【図４】遊技機本体に備えた遊技盤の正面図
【図５】遊技機本体に備えた遊技盤の背面図
【図６】パチンコ遊技機を後方から見た斜視図
【図７】パチンコ遊技機の背面図
【図８】外枠の斜視図
【図９】外枠、前面枠及び施錠機構の斜視図
【図１０】施錠機構を拡大した斜視図
【図１１】施錠機構の分解斜視図
【図１２】施錠機構の一部拡大斜視図
【図１３】施錠機構の側面図
【図１４】（Ａ）施錠機構の平面図
（Ｂ）施錠機構の底面図
【図１５】（Ａ）第２実施形態の施錠装置の側面図
（Ｂ）第２実施形態の施錠装置の背面図
（Ｃ）第１実施形態の施錠装置の側面図
（Ｄ）第１実施形態の施錠装置の背面図
【図１６】従来のパチンコ遊技機に備えた施錠装置の斜視図
【図１７】その施錠装置の側面図
【図１８】その施錠装置の分解斜視図
【符号の説明】
８２…外枠
８６…被係止部
９０…前面枠
１００，２００…施錠機構
１０１…固定基部
１０３…係止部
１２０…解錠機構
１３０…保護壁
１３１…側部保護壁
１３２…上部保護壁
１３３…切り欠き部
１４０…補強部
【図１】
0003743750.tif 000002
【図２】
0003743750.tif 000003
【図３】
0003743750.tif 000004
【図４】
0003743750.tif 000005
【図５】
0003743750.tif 000006
【図６】
0003743750.tif 000007
【図７】
0003743750.tif 000008
【図８】
0003743750.tif 000009
【図９】
0003743750.tif 000010
【図１０】
0003743750.tif 000011
【図１１】
0003743750.tif 000012
【図１２】
0003743750.tif 000013
【図１３】
0003743750.tif 000014
【図１４】
0003743750.tif 000015
【図１５】
0003743750.tif 000016
【図１６】
0003743750.tif 000017
【図１７】
0003743750.tif 000018
【図１８】
0003743750.tif 000019